(57)【特許請求の範囲】
【請求項１】
前端が縁桁に掛かる各垂木に押キャップをネジ止め被着するタップ溝が突設され、隣接する両垂木間にパネルが掛けられるとともに、押キャップの被着により止めて張設され、隣接する垂木について、相対向するそれぞれの一側が補完部材を組み合わせビス止めして完成されるようその一側端部に前記タップ溝を有する不完体垂木として形成されるパネル屋根において、この不完体垂木には、被着された押キャップとの間にパネルの挿入用空間が生じるように仮止フィンが押出形材の断面において一体に突設されるとともに、その仮止フィンにはその一部を欠除することによりパネルの挿入口が開放してあって、挿入口から仮止フィンに掛けたパネルを補完部材の組合せにより持ち上げることにより、補完部材の上端に備えたタイト材でパネルを押キャップのタイト材に圧接させ得るように、仮止フィンの下方の側面下端に補完部材を組み合わせるための掛止溝を形成する一方、補完部材については、仮止フィンの下に接合して挿入され下端が掛止溝に突き入れられる断面略コ字形であって、且つ、タイト材の嵌着部分に仮止フィンの先端が差し込まれる掛止溝を設けてあることを特徴とするパネル屋根におけるパネル張設装置。
【発明の詳細な説明】
【０００１】
【発明の属する技術分野】
この発明は、アルミ等の押出形材を骨組みとしてアクリル樹脂やポリカーボネート樹脂等の樹脂パネルで葺いたパネル屋根におけるパネル張設装置に関する。
【０００２】
【従来の技術】
この種のパネル屋根は、例えば、テラス、バルコニー、カーポート、サンルーム等、母屋に対して付属した建物や、仮設のあるいは簡易な小屋等に用いられる。
【０００３】
屋根の骨組みの構造は様々であるが、一般的に、中央部にタップ溝が形成されている垂木を平行に架設し、隣接する左右両垂木にパネルを掛け、垂木にはさらに押キャップを被せ、中央のタップ溝にビスで押キャップをネジ止めすることによって、パネルの端が上下タイト材で押え止められる。
【０００４】
【発明が解決しようとする課題】
上記のような従来のパネル屋根によれば、先ず、パネルを垂木間に掛けるには、梯子に登ってその作業をなし得るにしても、次の作業として垂木に押キャップをネジ止めするときに、ビスにドライバーが具合い良く当てる必要から、屋根に登るか若しくは少なくとも片足を屋根に掛けるという足場の悪い不安定な作業が強いられる結果、押キャップのネジ止めのために足を滑らせ転落する危険があった。
【０００５】
この危険を防止するために、垂木の下面中央にタップ溝を設け、逆に下面から押キャップをネジ止めしてそれによりパネルを下から垂木に押え止める手段が提案される（特公平７−９１８８５号公報）。しかし、この場合であると、パネルを垂木に下から仮止めするために手に負えないような面倒な作業を要し、仮固定のための特別な部品も要し、作業が非常に繁雑になるという問題もあった。
【０００６】
また、パネルをフレームにより枠組みしたパネルユニットを予め構成し、パネルユニットを垂木間に納める手法が提案されるが（特開平１０−２１９９０４号公報）、この場合であると、パネルの枠組みのために部材を多用し、構造が多重に複雑となりコスト高になるという問題があった。
【０００７】
この発明は、上記のような実情に鑑みて、屋根に登ったり足を掛けたりするような危険な作業を要せず、パネルを止めるネジ止め作業を安定した足場で身近かなドライバー操作でなし得るため、作業が安全且つ能率的となり、しかも、部材や部品を多用せず簡単な構造となるパネル屋根のパネル張設装置を提供することを目的とした。
【０００８】
【課題を解決するための手段】
上記の目的を達成するために、この発明は、前端が縁桁に掛かる各垂木に押キャップをネジ止め被着するタップ溝が突設され、隣接する両垂木間にパネルが掛けられるとともに、押キャップの被着により止めて張設され、隣接する垂木について、相対向するそれぞれの一側が補完部材を組み合わせビス止めして完成されるようその一側端部に前記タップ溝を有する不完体垂木として形成されるパネル屋根において、この不完体垂木には、被着された押キャップとの間にパネルの挿入用空間が生じるように仮止フィンが押出形材の断面において一体に突設されるとともに、その仮止フィンにはその一部を欠除することによりパネルの挿入口が開放してあって、挿入口から仮止フィンに掛けたパネルを補完部材の組合せにより持ち上げることにより、補完部材の上端に備えたタイト材でパネルを押キャップのタイト材に圧接させ得るように、仮止フィンの下方の側面下端に補完部材を組み合わせるための掛止溝を形成する一方、補完部材については、仮止フィンの下に接合して挿入され下端が掛止溝に突き入れられる断面略コ字形であって、且つ、タイト材の嵌着部分に仮止フィンの先端が差し込まれる掛止溝を設けてあることを特徴とするパネル屋根におけるパネル張設装置を構成した。
【０００９】
上記の構成によれば、不完体垂木間にパネルを掛ける作業に先行して、予め押キャップをその不完体垂木に取り付けておくもので、そのため、そのネジ止め作業を、開放している両不完体垂木の間から身を出して具合い良く安全になし得る。次に、パネルを掛ける時には、仮止フィンが欠除する挿入口に下から差し入れるという安全作業となり、この際に樹脂パネルの可撓性から縁桁に妨げられないで、仮止フィンにパネルを掛け得ると同時に、縁桁にも容易に掛けることができる。また、作用が容易であるとともに、強固な組合せ状態が得られる。
【００１０】
【発明の実施の形態】
この発明において、屋根の骨組みについては、全ての垂木を不完体垂木２とすることもできるし、押キャップ９のビス止めに支障がなければ、実施例に示すように、一部に普通の完全垂木３を用いることもできる。
【００１１】
つまり、端部垂木１を除く全てが不完体垂木２であると、完全面で相対向する両不完体垂木２、２間には、パネル７を予め掛けて普通の要領で押キャップ９で止めておく。この際には、パネル７を未だ掛けてない不完全面（仮止フィン２３の突出側）で対向する両不完体垂木２、２の開放口から身をのり出して、押キャップ９を止めるネジ操作を胸元でなすことができる。
【００１２】
また、一部に完全垂木３を用いる場合とは、それに不完体垂木２、２の開放口からネジ止めの手が届くために、不完体垂木２と不完体垂木２との間に１本又は２本の完全垂木３を入れても良いという場合が考えられる。例えばパネル７の巾が狭いときである。
【００１３】
【発明の効果】
以上説明したように、この発明によれば、パネル屋根のパネル張設作業において、屋根に登ったり足を掛けたりするような危険がなくなり、パネルを止めるネジ止め作業を単に梯子に登るような安定した足場で、身近かなドライバー操作で容易になし得る。しかも、部材や部品を多用せず、簡単な構造であるため、作業能率も良好になるという優れた効果がある。
【００１４】
【実施例】
次に、この発明を実施例の図面に基づいて説明する。
【００１５】
図面は一実施例を示したもので、そのパネル屋根Ｒは、図１に示すように、端から順に、端部垂木１、不完体垂木２、不完体垂木２、完体垂木３が配列してあるが、さらに不完体垂木２、不完体垂木２、完体垂木３…というような配列となっている。そして、端部垂木１と完体垂木３については、従来と同様の形態であるが、不完体垂木２については、この発明に特有の形態であって、両不完体垂木２、２を欠け口側を対向して配列し、その欠け口側に補完部材５、５がビス止めされ、この組合せにより完体垂木３と同様の両持ち状態となる。押キャップ９は、全垂木１、２、３に共通の形状のものが使用され、前記したように、それぞれに予めビス１１で止められる。
【００１６】
不完体垂木２は、図４に示すように、略矩形断面の中空体であって、欠け口側の端部上面に、押キャップ９をビス１１で止めるタップ溝１３を突設し、他端部上面に、タイト材１５を嵌着する蟻溝を設けてある。また、欠け口側面に補完部材５を止めるために、取付ビス１７のタップ孔１６形成用Ｖ溝１９を形成し、下端に補完部材５を組合せるために、掛止溝２１を形成してある。
【００１７】
また、不完体垂木２には、欠け口側面の上端部に仮止フィン２３を突設してあるが、この仮止フィン２３は、縁桁２５近くの前端部を欠除してあるので、両不完体垂木２、２間にパネル７を掛けるには、先ず、仮止フィン２３、２３が欠除した挿入口１４（図２のＭの範囲）から差し込み（図２）、そうして後端を垂木掛け２４に掛け、前端を縁桁２５に掛ける（図３）。
【００１８】
パネル７の挿入時には、不完体垂木２には予め押キャップ９が取り付けてある。また、仮止フィン２３は、パネル７を正規の位置よりも下位で受けられるので、次に、補完部材５を組合せることによって、そのタイト材１５でパネル７が押キャップ９のタイト材１５に押圧される。
【００１９】
補完部材５は、略コ字形の断面形状であって、上端に不完体垂木２の仮止フィン２３の下に接合させる差込片２９を、下端に先端が掛止溝２１に突き入れられる掛止片３１をそれぞれ突設してある。また、上端にタイト材１５の嵌着溝を形成すると共に、仮止フィン２３の掛止溝３３を設けてある。また、差込片２９の先端には、仮止フィン２３の下に差込みやすく屈折部３５が形成される。なお、この屈折部３５にタイト材を充填することもできる。
【００２０】
また、上記実施例では、パネル屋根Ｒの中間垂木に、本発明に係る不完体垂木と補完部材の組合せを示したが、パネル屋根の端部垂木（側枠）などもこのような組合せで形成可能であることは言うまでもない。
【図面の簡単な説明】
【図１】  この発明の一実施例を示す正面から見たパネル屋根の一部断面図である。
【図２】  同実施例におけるパネルの張設作業要領を示す側面から見た断面説明図である。
【図３】  同じく次の作業要領を示す断面説明図である。
【図４】  図２のＡ部における作業要領を示す拡大斜視図である。
【符号の説明】
Ｒ  パネル屋根
２  不完体垂木
５  補完部材
７  パネル
９  押キャップ
１１  ビス
１３  タップ溝
１４  挿入口
１５  タイト材
１７  取付けビス
２１  掛止溝
２３  仮止フィン
２５  縁桁
３３  掛止溝
Ｍ  挿入口１４の範囲
【図１】
0003695741.tif 000002
【図２】
0003695741.tif 000003
【図３】
0003695741.tif 000004
【図４】
0003695741.tif 000005